(57)【要約】【課題】  フェーダ装置を分解することなく、手動で可変抵抗を調整する際の摺動抵抗又は摺動トルクを微調整することができる操作感調整機能付きフェーダ装置を提供する。【解決手段】  互いに平行に延びる抵抗体及び集電体を有する抵抗基板１２と、抵抗基板に沿って延びるガイドバー１４と、ガイドバーに摺動自在に案内され、抵抗体及び集電体に接触して摺動するブラシを有するスライダ１６と、スライダに固定され外部まで延びる操作レバー１８とを備える。スライダ１６は、ガイドバーの少なくとも一部を挟持する２枚の摺動挟持部１６ａ，１６ｂを有する。更に、２枚の摺動挟持部とガイドバーとの摺動抵抗を可変に調整する摺動抵抗調整機構２０を有する。【選択図】      図１
0003102188.tif 000002
【実用新案登録請求の範囲】
【請求項１】
互いに平行に延びる抵抗体及び集電体を有する抵抗基板と、抵抗基板に沿って延びるガイドバーと、該ガイドバーに摺動自在に案内され、抵抗体及び集電体に接触して摺動するブラシを有するスライダと、該スライダに固定され外部まで延びる操作レバーと、を備え、
前記スライダは、ガイドバーの少なくとも一部を挟持する２枚の摺動挟持部を有し、
更に、前記２枚の摺動挟持部とガイドバーとの摺動抵抗を可変に調整する摺動抵抗調整機構を有する、ことを特徴とする操作感調整機能付きフェーダ装置。
【請求項２】
前記摺動抵抗調整機構は、スライダの摺動挟持部の一方に面する位置に設けられた貫通雌ネジ部と、該貫通雌ネジ部と螺合し摺動挟持部の一方を他方に向けて押し付ける雄ネジ部材とからなる、ことを特徴とする請求項１に記載の操作感調整機能付きフェーダ装置。
【請求項３】
前記雄ネジ部材は、そのネジ部にゆるみ止め用の弾性樹脂が融着されている、ことを特徴とする請求項２に記載の操作感調整機能付きフェーダ装置。
【請求項４】
前記抵抗基板、ガイドバー、スライダ、及び操作レバーを内部に収容するケースを備え、該ケースは前記操作レバーを摺動可能に通すスリット孔と、スライダの所定位置で、前記雄ネジ部材と整合する貫通孔とを有し、
前記雄ネジ部材は、雄ネジ部材を軸心を中心に回転させるための係合孔を有し、ケースに設けられた前記貫通孔を通して係合孔と係合する細長い調整バーで、摺動抵抗を調整可能に構成されている、ことを特徴とする請求項２に記載の操作感調整機能付きフェーダ装置。
【請求項５】
前記抵抗体及び集電体は、互いに平行に直線に延びる直線抵抗体及び直線集電体であり、
前記ガイドバーは、抵抗基板に沿って互いに平行に延びる２本の直線棒材である、ことを特徴とする請求項１に記載の操作感調整機能付きフェーダ装置。
【考案の詳細な説明】
【技術分野】
【０００１】
本考案は、手動で可変抵抗を調整する際の摺動抵抗又は摺動トルクを微調整する機能を備えた操作感調整機能付きフェーダ装置に関する。
【背景技術】
【０００２】
ディスクジョッキー等において多チャンネルのオリジナル音をミクシングする際や、劇場等での照明の光量調整等にフェーダ（ｆａｄｅｒ）又はフェーダ装置と呼ぶ可変抵抗器が用いられる。フェーダは、手動で操作するマニュアルフェーダとモータで駆動可能なモータフェーダに大別することができ、それぞれ直線型と回転型とがある。
【０００３】
マニュアルフェーダは、直線状の抵抗器とこの上を摺動する摺動子とからなり、摺動子を手動で移動させることにより抵抗器の一端から摺動子までの抵抗値を変化させるようになっている。モータフェーダは、マニュアルフェーダをモータで駆動可能にしたものであり、ムービングフェーダとも呼ばれる。
【０００４】
図５は、従来の直線型マニュアルフェーダの一例を示す模式図である。この図において、５１はケース、５２はケースの長手方向に固定された抵抗板、５３は平行に配置された２本のガイドバー５４に摺動自在にガイドされたスライダ、５５はスライダに固定されたノブアームである。
抵抗板５２の片面には直線状の抵抗体５２ａと集電電極体５２ｂが平行に印刷されている。またスライダ５３の抵抗板５２に面する側に抵抗体５２ａと集電電極体５２ｂと接触して摺動するブラシ（図示せず）が取り付けられている。
さらにノブアーム５５の先端にはノブ５５ａが取り付けられ、このノブを手で動かしてスライダ５３を摺動させ、ブラシを抵抗体５２ａと集電電極体５２ｂ上で移動させることにより、希望する抵抗値を得ることができる。
【０００５】
なお、かかるフェーダ装置に関し、特許文献１、２、等が既に開示されている。
特許文献１の「直線型フェーダ装置」は、ガイド孔から埃が侵入して露出状態の抵抗板およびブラシに付着して接触不良を起こすのを防止するために、図６に示すように、ケースに対してガイドバー６４により平行移動するスライダ６３と、ケースに取り付けられ軸受け管の回転により抵抗値が変化する密閉構造の可変抵抗６８と、軸受け管に取り付けられた軸心プーリ６９と、軸心プーリとスライダおよび複数のプーリ６６の間に巻回され、スライダの移動によって回転するベルト６７とを具備したものである。
【０００６】
また、特許文献２の「フェーダー装置」は、フェーダーレバーの調整感を向上させ、操作時のバックラッシュを軽減することを目的とし、図７に示すように、回転するフェーダーレバー７１と、回転により抵抗値が変化する可変抵抗手段７２と、ベルト部材でフェーダーレバーから可変抵抗手段へ回転伝動するベルト手段７３とを備えたものである。なお７４は、フェーダーレバー７１に直結した回転ドラムである。
【０００７】
【特許文献１】特開平９−１７１９１０号公報
【特許文献２】特開２００１−２８４１０６号公報
【考案の開示】
【考案が解決しようとする課題】
【０００８】
ディスクジョッキー等におけるミクシング操作や、劇場等での照明の光量調整等では、多チャンネルに配列した多数のフェーダ装置を音楽や演劇に合わせて、常時頻繁に操作する必要がある。そのため、複数のフェーダ装置の操作感、特に摺動抵抗又は摺動トルクを、操作者の好みに合わせて微調整することが望まれていた。
しかし、従来のフェーダ装置は、マニュアルフェーダもモータフェーダも、手動操作時の摺動抵抗又は摺動トルクは一定に設定されており、その調整ができない問題点があった。
また、操作者の好みに合わせるため、摺動部に摩擦抵抗の大きい摺動板等を挿入する等の手段を講じることにより、摺動抵抗又は摺動トルクを変化させることは原理的には可能であるが、フェーダ装置の分解作業を必要とするため、素人には困難であり、かつ摺動抵抗又は摺動トルクの微調整には時間がかかる問題点があった。
【０００９】
本考案は上述した問題点を解決するために創案されたものである。すなわち、本考案の目的は、フェーダ装置を分解することなく、手動で可変抵抗を調整する際の摺動抵抗又は摺動トルクを微調整することができる操作感調整機能付きフェーダ装置を提供することにある。
【課題を解決するための手段】
【００１０】
本考案によれば、互いに平行に延びる抵抗体及び集電体を有する抵抗基板と、抵抗基板に沿って延びるガイドバーと、該ガイドバーに摺動自在に案内され、抵抗体及び集電体に接触して摺動するブラシを有するスライダと、該スライダに固定され外部まで延びる操作レバーと、を備え、
前記スライダは、ガイドバーの少なくとも一部を挟持する２枚の摺動挟持部を有し、
更に、前記２枚の摺動挟持部とガイドバーとの摺動抵抗を可変に調整する摺動抵抗調整機構を有する、ことを特徴とする操作感調整機能付きフェーダ装置が提供される。
【００１１】
上記本考案の構成によれば、摺動抵抗調整機構により２枚の摺動挟持部とガイドバーとの摺動抵抗を可変に調整することで、手動で可変抵抗を調整する際の摺動抵抗又は摺動トルクを微調整することができる。
【００１２】
本考案の好ましい実施形態によれば、前記摺動抵抗調整機構は、スライダの摺動挟持部の一方に面する位置に設けられた貫通雌ネジ部と、該貫通雌ネジ部と螺合し摺動挟持部の一方を他方に向けて押し付ける雄ネジ部材とからなる。
【００１３】
この構成により、貫通雌ネジ部と螺合する雄ネジ部材により、摺動挟持部の一方を他方に向けて押し付け、摺動挟持部とガイドバーとの接触圧力を可変に調整することにより、摺動抵抗又は摺動トルクを微調整することができる。
【００１４】
前記雄ネジ部材は、そのネジ部にゆるみ止め用の弾性樹脂が融着されている、ことが好ましい。
かかる弾性樹脂は、例えばナイロン樹脂であり、その弾性反発力で摩擦保持力を発生させてゆるみ止め効果を得ることができる。
【００１５】
前記抵抗基板、ガイドバー、スライダ、及び操作レバーを内部に収容するケースを備え、該ケースは前記操作レバーを摺動可能に通すスリット孔と、スライダの所定位置で、前記雄ネジ部材と整合する貫通孔とを有し、
前記雄ネジ部材は、雄ネジ部材を軸心を中心に回転させるための係合孔を有し、ケースに設けられた前記貫通孔を通して係合孔と係合する細長い調整バーで、摺動抵抗を調整可能に構成されている。
【００１６】
この構成により、スライダの所定位置で、ケースに設けられた貫通孔を通して細長い調整バーで、雄ネジ部材を回転させることができ、フェーダ装置を分解することなく、又は摺動トルクを微調整することができる。
【００１７】
本考案の好ましい実施形態によれば、前記抵抗体及び集電体は、互いに平行に直線に延びる直線抵抗体及び直線集電体であり、
前記ガイドバーは、抵抗基板に沿って互いに平行に延びる２本の直線棒材である。
【００１８】
この構成により、本考案の操作感調整機能付きフェーダ装置を直線型のマニュアルフェーダとモータフェーダに適用することができる。
【考案の効果】
【００１９】
上述したように、本考案の操作感調整機能付きフェーダ装置は、フェーダ装置を分解することなく、手動で可変抵抗を調整する際の摺動抵抗又は摺動トルクを微調整することができる、等の優れた効果を有する。
【考案を実施するための最良の形態】
【００２０】
以下、本考案の好ましい実施形態を図面を参照して説明する。なお、各図において、共通する部分には同一の符号を付し重複した説明を省略する。
図１は、本考案の操作感調整機能付きフェーダ装置の実施形態を示す全体平面図であり、ケースのカバーを外した状態を示している。図２は図１のＡ-Ａ線における断面図、図３は、図１の主要部の部分斜視図である。
【００２１】
この例において、本考案の操作感調整機能付きフェーダ装置は、直線型のマニュアルフェーダである。しかし、本考案はこれに限定されず、直線型のモータフェーダ、回転型のマニュアルフェーダ及びモータフェーダにも同様に適用することができる。以下、本考案の操作感調整機能付きフェーダ装置を単に「フェーダ装置」と呼ぶ。
【００２２】
図１において、本考案のフェーダ装置１０は、ケース１１、抵抗基板１２、ガイドバー１４、スライダ１６及び操作レバー１８を備える。
【００２３】
ケース１１は、ケース本体１１ａとケースカバー１１ｂとからなる中空の容器（この例では矩形の箱型）であり、抵抗基板１２、ガイドバー１４、スライダ１６、及び操作レバー１８を内部に収容する。また、このケース１１は操作レバー１８を通す細長いスリット孔１１ｃを有し、このスリット孔１１ｃに沿って操作レバー１８を摺動でき、その位置に応じて後述する出力端子間の抵抗値を任意に変化させるようになっている。
また、操作レバー１８のケース外に延びた先端部には、ノブ１８ａが固定され、その調整操作を容易にしている。
更に、ケース内のスリット孔１１ｃの裏側には、図２に示すように、Ｌ字型に曲げられたシール板１１ｄが固定され、スリット孔１１ｃからの埃等の侵入を防止するようになっている。
【００２４】
抵抗基板１２は、平板状のプリント基板であり、その片面に互いに平行に延びる抵抗体１２ａ及び集電体１２ｂを有する。この例において、抵抗体１２ａ及び集電体１２ｂは、互いに平行に直線に延びる２対の直線抵抗体１２ａ及び直線集電体１２ｂである。また、抵抗基板１２には、複数の端子１２ｃが設けられ、直線抵抗体１２ａ及び直線集電体１２ｂの抵抗値と、後述するブラシを抵抗体と集電体上で移動させることにより、希望する抵抗値を検出できるようになっている。
なお、抵抗基板１２の構成は、この例に限定されず、周知のフェーダ装置の種々の回路構成にも同様に適用することができる。
【００２５】
ガイドバー１４は、抵抗基板１２のプリント基板を有する面に沿って延びる。この例において、ガイドバー１４は、抵抗基板１２に沿って互いに平行に延び、両端部がケース１１に固定された２本の平行な直線棒材１４ａ，１４ｂである。しかし、本考案はこれに限定されず、スライダ１６を案内できる任意の異形型材であってもよい。
【００２６】
スライダ１６は、図１、図２に示すように、ガイドバー１４（この例では平行な直線棒材１４ａ，１４ｂ）により、直線棒材１４ａ，１４ｂに沿って摺動自在に案内されている。また、このスライダ１６は、抵抗体及び集電体に接触して摺動するブラシ（図示せず）を有し、その摺動位置により、希望する抵抗値を端子１２ｃから出力するようになっている。
【００２７】
操作レバー１８は、スライダ１６にこの例では、２つのネジ１８ｂで一体に固定されている。また、この例で操作レバー１８は、図２に示すようにＬ字型に曲げられた部分がスリット孔１１ｃを通り、シール板１１ｄと干渉することなく、埃等の侵入を防止するようになっている。
【００２８】
図２、図３に示すように、本考案において、スライダ１６は、ガイドバーの少なくとも一部（この例では直線棒材１４ｂ）を挟持する２枚の摺動挟持部１６ａ，１６ｂを有する。スライダ１６は、この例では、金属との摺動抵抗の小さい樹脂製であり、摺動挟持部１６ａ，１６ｂは、スライダ１６と一体に成形されている。なお、本考案はこの構成に限定されず、摺動挟持部１６ａ，１６ｂの一方又は両方を材料の異なる別部品として構成してもよい。
【００２９】
本考案のフェーダ装置１０は、更に、２枚の摺動挟持部１６ａ，１６ｂとガイドバー（この例では直線棒材１４ｂ）との摺動抵抗を可変に調整する摺動抵抗調整機構２０を有する。
【００３０】
この例において、摺動抵抗調整機構２０は、スライダ１６の摺動挟持部の一方１６ａに面する位置に設けられた貫通雌ネジ部１６ｃと、この貫通雌ネジ部１６ｃと螺合し摺動挟持部の一方１６ａを他方１６ｂに向けて押し付ける雄ネジ部材２１とからなる。
この構成により、貫通雌ネジ部１６ｃと螺合する雄ネジ部材２１により、摺動挟持部の一方１６ａを他方１６ｂに向けて押し付け、摺動挟持部１６ａ，１６ｂとガイドバー（この例では直線棒材１４ｂ）との接触圧力を可変に調整することにより、摺動抵抗又は摺動トルクを微調整することができる。
【００３１】
この雄ネジ部材２１は、そのネジ部にゆるみ止め用の弾性樹脂（例えばナイロン樹脂）が融着され、その弾性反発力で摩擦保持力を発生させてゆるみ止め効果を得るようになっている。更に、図３に示すように、雄ネジ部材２１は、雄ネジ部材を軸心を中心に回転させるための係合孔２１ａを有する。この係合孔は、六角孔又は矩形孔であるのが好ましいが、ドライバー用のプラス孔又はマイナス孔であってもよい。
【００３２】
図４は、本考案の操作感調整機能付きフェーダ装置の操作感調整方法を示す全体斜視図である。この図に示すように、ケース１１は、そのカバー１１ｂにスライダの所定位置（例えば操作レバー１８のストローク端）で、雄ネジ部材２１と整合する位置に貫通孔１１ｅを有する。この位置で、図に示すように、ケースに設けられた貫通孔１１ｅを通して係合孔２１ａと係合する細長い調整バー２２を回転させて、摺動抵抗を自由に微調整できるように構成されている。
【００３３】
この構成により、スライダの所定位置で、ケースに設けられた貫通孔を通して細長い調整バーで、雄ネジ部材を回転させることができ、フェーダ装置を分解することなく、摺動抵抗又は摺動トルクを微調整することができる。
【００３４】
なお、本考案は上述した実施形態に限定されず、本考案の要旨を逸脱しない範囲で種々に変更できることは勿論である。
【図面の簡単な説明】
【００３５】
【図１】本考案の操作感調整機能付きフェーダ装置の実施形態を示す全体平面図である。
【図２】図１のＡ-Ａ線における断面図である。
【図３】図１の主要部の部分斜視図である。
【図４】本考案の操作感調整機能付きフェーダ装置の操作感調整方法を示す全体斜視図である。
【図５】従来の直線型マニュアルフェーダの一例を示す模式図である。
【図６】特許文献１の「直線型フェーダ装置」の模式図である。
【図７】特許文献２の「フェーダー装置」の模式図である。
【符号の説明】
【００３６】
１０  フェーダ装置（操作感調整機能付きフェーダ装置）、
１１  ケース、１１ａ  ケース本体、１１ｂ  ケースカバー、
１１ｃ  スリット孔、１１ｄ  シール板、１１ｅ  貫通孔、
１２  抵抗基板、１２ａ  抵抗体、１２ｂ  集電体、１２ｃ  端子、
１４  ガイドバー、１４ａ，１４ｂ  直線棒材、
１６  スライダ、１６ａ，１６ｂ  摺動挟持部、１６ｃ  貫通雌ネジ部、
１８  操作レバー、１８ａ  ノブ、
２０  摺動抵抗調整機構、２１  雄ネジ部材、２１ａ  係合孔、
２２  調整バー
【図１】
0003102188.tif 000003
【図２】
0003102188.tif 000004
【図３】
0003102188.tif 000005
【図４】
0003102188.tif 000006
【図５】
0003102188.tif 000007
【図６】
0003102188.tif 000008
【図７】
0003102188.tif 000009